(57)【要約】【課題】簡易な構造で押圧構造が実現できる押釦構造およびそれを利用したトイレ用壁付けリモコンを提供する。【解決手段】開口部１には、内周縁にストッパ片４を形成するとともに、一端を開口部１の内縁１ａに固定させて片持ち支持され、かつ下面にタクトスイッチＳＷを押圧する操作棹３ｃを設けた舌片状の作動片３が、その周囲に空隙Ｓが形成されるように設けられており、操作釦２は、脚部２ｂが空隙Ｓに挿入され、作動片３上に跨乗状態に取り付けられており、押下操作されたときには、操作釦２がストッパ片４に当接して支持される位置まで下方に押し込まれて、操作釦２の下方に設けられているタクトスイッチＳＷを押し操作させるようにしている。【選択図】図１
2008130531.tif 000002
【特許請求の範囲】
【請求項１】
筐体表面に形成した開口部に、下方に係止爪を有した脚部を設けた操作釦を取り付けてなる押釦構造であって、
上記開口部には、内周縁にストッパ片を形成するとともに、一端を該開口部の内縁に固定させて片持ち支持され、かつ下面にタクトスイッチを押圧する操作棹を設けた舌片状の作動片が、その周囲に空隙が形成されるように設けられており、
上記操作釦は、上記脚部が上記空隙に挿入され、上記作動片上に跨乗状態に取り付けられており、押下操作されたときには、上記操作釦が上記ストッパ片に当接して支持される位置まで下方に押し込まれて、該操作釦の下方に設けられているタクトスイッチを押し操作させるようにしたことを特徴とする押釦構造。
【請求項２】
請求項１において、
上記操作釦は、その下面に、上記作動片を押下するための下方に突出する突設部をさらに有していることを特徴とする押釦構造。
【請求項３】
請求項１、２のいずれか１項において、
上記開口部は、その中央に仕切りとなる第２のストッパ片を設けて、２つの開口部を構成しており、
それぞれの開口部には、内周縁にストッパ片を形成するとともに、一端を該開口部の内縁に固定させて片持ち支持され、かつ下面にタクトスイッチを押圧する操作棹を設けた舌片状の作動片が、その周囲に空隙が形成されるようにして、対向して設けられており、
上記操作釦のそれぞれは、上記脚部が上記空隙に挿入され、上記作動片上に跨乗状態に取り付けられており、押下操作されたときには、上記操作釦が、上記ストッパ片と上記第２のストッパ片に当接して支持される位置まで下方に押し込まれて、該操作釦の下方に設けられているタクトスイッチを押し操作させるようにしたことを特徴とする押釦構造。
【請求項４】
請求項１〜３のいずれか１項に記載の押釦構造を有したトイレ用壁付けリモコン。
【発明の詳細な説明】
【技術分野】
【０００１】
本発明は、操作釦を押圧することで作動片を押し下げて下方に配置したスイッチを作動させる押釦構造、およびその押釦構造を利用したトイレ用壁付けリモコンに関する。
【背景技術】
【０００２】
この種の押釦構造として特許文献１に示すものがある。このものは、筐体（ケース）の上面に設けた操作部が、下方に突出形成させた作動片（スイッチ押圧部）で操作部を押下することで作動片を弾性変形させて押し下げて、タクトスイッチを作動させる構造となっている。
【０００３】
また、ケース表面の下方に別体の立設部を設け、その上端には、押下操作したときに上記作動片の端部が当接して押下動作を規制するストッパ部が形成されており、それによって、過度の押圧力によるタクトスイッチの破損を防止するようにしている。
【特許文献１】特開２００１−６４８４号公報
【発明の開示】
【発明が解決しようとする課題】
【０００４】
ところが、上記文献のものは、操作パネルの一部を切り欠いて作動片を形成したり、立設部の一部でストッパ片を形成したりするなど、押釦部分以外の種々の箇所を加工しなければならず、簡易な構造とはいえず、安価に製造できるものではない。また、種々の加工によるケースの強度低下も懸念される。
【０００５】
本発明は、このような問題を考慮して提案されたもので、その目的は、簡易な構造で押釦の押圧構造が実現できる押釦構造およびそれを利用したトイレ用壁付けリモコンを提供することにある。
【課題を解決するための手段】
【０００６】
上記目的を達成するために、請求項１に記載の押釦構造は、筐体表面に形成した開口部に、下方に係止爪を有した脚部を設けた操作釦を取り付けてなる押釦構造であって、開口部には、内周縁にストッパ片を形成するとともに、一端を開口部の内縁に固定させて片持ち支持され、かつ下面にタクトスイッチを押圧する操作棹を設けた舌片状の作動片が、その周囲に空隙が形成されるように設けられており、操作釦は、脚部が空隙に挿入され、作動片上に跨乗状態に取り付けられており、押下操作されたときには、操作釦がストッパ片に当接して支持される位置まで下方に押し込まれて、操作釦の下方に設けられているタクトスイッチを押し操作させるようにしている。
【０００７】
請求項２では、操作釦が、その下面に、作動片を押下するための下方に突出する突設部をさらに有していることを特徴とする。
【０００８】
請求項３では、開口部は、その中央に仕切りとなる第２のストッパ片を設けて、２つの開口部を構成しており、それぞれの開口部には、内周縁にストッパ片を形成するとともに、一端を開口部の内縁に固定させて片持ち支持され、かつ下面にタクトスイッチを押圧する操作棹を設けた舌片状の作動片が、その周囲に空隙が形成されるようにして、対向して設けられており、操作釦のそれぞれは、脚部が空隙に挿入され、作動片上に跨乗状態に取り付けられており、押下操作されたときには、操作釦が、ストッパ片と第２のストッパ片に当接して支持される位置まで下方に押し込まれて、操作釦の下方に設けられているタクトスイッチを押し操作させるようにしている。
【０００９】
請求項４に記載のトイレ用壁付けリモコンは、請求項１〜３のいずれか１項に記載の押釦構造を有している。
【発明の効果】
【００１０】
本発明の構成によれば、作動片やストッパ片を、操作釦を取り付ける開口部の内方側に構成することができるので、簡易な構造でコンパクトに押釦を形成でき、容易に製造することができる。また、押釦構造を形成するために、筐体の押釦部分以外を加工する必要がないため、押釦を設けることによって筐体の強度が低下するおそれはない。
【００１１】
また、作動片が片持ち支持された構造であるため、押下操作で、ストッパ片で支持される位置まで作動片を撓ませることでタクトスイッチを押し操作でき、その後、ストッパ片で停止して指を離そうとすると、作動片は弾性的に復帰しようとするため、操作者にクリック感を与えることができる。
【００１２】
さらに、操作釦を作動片に跨がせるように取り付けているため、組み付け、分解作業も簡単で、組み付け後の押下操作によって、ぐらついたり外れたりすることがない。さらに、バネなどの別部品が不要な点でも利点がある。
【００１３】
本発明の他の構成によれば、操作釦が突設部を備えているため、ストッパ片を作動片よりもやや高い位置に設けることで、操作釦はストッパ片で均一に押下動作が規制される構造であるため、操作釦のどこを押しても確実にスイッチを操作でき、また押下時の操作釦のぐらつきを防止できる。
【００１４】
また、作動片やストッパ片を、筐体と一体成形させることができるので、さらに製造は容易である。一体成形すれば、押釦構造の強度を増すこともできる。
【００１５】
本発明の他の構成によれば、隣接する１対の操作釦を設けており、１対の作動片の自由端に挟まれた位置に第２のストッパ片を横架させた構造とし、その第２のストッパ片が共通のストッパ片として作用させているため、２つの操作釦を隣接させた位置に配置することができ、筐体の操作部をシンプルに構成することができる。
【発明を実施するための最良の形態】
【００１６】
以下に、本発明の実施の形態について、添付図面を参照しながら説明する。
【００１７】
なお、以下の実施例では、本発明の一例である押釦構造をトイレ用壁付けリモコンに採用した例を示しているが、このものには限定されず、他のリモコン装置やインターホン装置、火災受信器の操作パネルなど、さまざまな電子機器にも適用可能である。
【００１８】
図２は、本発明の一例である押釦構造を採用したトイレ用壁付けリモコンの斜視図である。
【００１９】
図示するリモコンは、トイレ室の壁（不図示）などの、利用者が便座（不図示）に腰掛けたままでも操作が可能な位置に取り付けられる。
【００２０】
リモコン本体２０は、その筐体１０が硬質の樹脂で成形され、上部２０ａと下部２０ｂとより構成され、上部２０ａには、局部洗浄ノズルを動作開始、停止させるための操作釦１２、ノズル位置や洗浄水温度の調整を行うための操作釦２、設定状況や現在時刻を表示する液晶パネル１１などが配設され、下部２０ｂには下端を軸として回動により開閉を可能とした蓋部１４と、その蓋部１４に覆われた操作部（不図示）とが設けられている。
【００２１】
この蓋部１４の表面にも操作釦１３が設けられ、蓋部１４を開けて使用できるようにした操作部には、各種動作環境設定用の操作釦（不図示）が設けられている。
【００２２】
また、リモコン本体２０の上面には、便座の開閉動作や大小の水洗動作を遠隔操作させるための操作釦１５を設けている。
【００２３】
上記各種の操作釦２、１２、１３、１５のうち、略中央に配置した各種調整のための操作釦２は、例えば洋風便器装置に内蔵された局部洗浄ノズルの前、後位置操作、局部洗浄水の温度上下操作など、相反する動作をさせるものであり、その操作性を考慮して、図示するように、近接して隣り合うように１対の釦２、２が並設されている。
【００２４】
本発明の押釦構造は、上記種々の操作釦２、１２、１３、１５に適用可能であるが、以下には、この１対の操作釦２について例示して説明する。
【００２５】
図１は、操作釦２の押釦構造の縦断面図（図２のＡ−Ａ線）、図３は操作釦２の分解斜視図、図４はこの押釦構造を構成する操作釦２および作動片３の各斜視図である。以下、図３、図４にて各部材の構造および取り付け態様を説明し、ついで図１にて詳細な押圧構造および動作について説明する。
【００２６】
図３に示すように、筐体１０の表面には、１対の操作釦２、２でもって塞がれるように開設された１つの開口部１が形成され、その開口部１は後述する第２のストッパ片５によって左右２つの開口部１Ａ、１Ｂを形成している。
【００２７】
それぞれの開口部１Ａ、１Ｂには、２つの操作釦２、２が取り付けられ、それぞれの開口部１Ａ、１Ｂを平面視したとき、その開口内には、操作釦２に対応した、下方のタクトスイッチＳＷ（図１参照）の押し下げ動作をさせるための作動片３と、タクトスイッチＳＷの押し下げ量を規制するためのストッパ片４とが設けられている。ただし、横架形成した仕切りとなる第２のストッパ片５は、ストッパ片４と同様にタクトスイッチＳＷの押し下げ量を規制するものであるが、２つの操作釦２、２に共用できるように中央に設けられている。
【００２８】
これらの作動片３、ストッパ片４、第２のストッパ片５は、操作釦２に対する押下動作に耐え得るように、開口内縁１ａに強固に固着、固定されなければならず、できれば筐体１０と一体成形することが望ましい。また一体成形であれば、作動片３、ストッパ片４の取り付け作業が不要となるため、リモコン本体２０を簡易に製造することもできる。
【００２９】
操作釦２は、筐体１０と同質素材で製されることが望ましく、平板状で、本体端部より下方に突出した４本の脚部２ｂと、作動片３を押し下げるために中空あるいは中実の所定の厚みを有した円柱状の突設部２ａ（図４参照）を有している。また、それぞれの脚部２ｂの下端には外側に向いた係止爪２ｃを有している。
【００３０】
作動片３は、平板状に成形され、筐体１０表面に対し略平行となるように、一端が開口部１の内縁１ａに舌片状に固定されて、他端を自由端３ｂに形成している。なお、図例のものでは固定端３ａを自由端３ｂよりも幅狭に成形しているが、これは開口部１の角に配置したストッパ片４ａとの位置、サイズとの関係によるもので、作動片３の強度を考慮して同一幅あるいは幅広としてもよい。
【００３１】
作動片３の開口内縁１ａに対する取り付け高さは、操作釦２の厚みを考慮して、非操作時に操作釦２が筐体１０の表面よりわずかに突出する程度に調節すればよいが、作動片２の強度を考慮すれば、内縁１ａの端面の略中央の高さ位置とすることが望ましい。
【００３２】
また、作動片３の下面の略中央には、下方に配置された回路基板上のタクトスイッチＳＷ（図１参照）を操作させるための、中空または中実筒型の操作棹３ｃを備えている。
【００３３】
一方、ストッパ片４については、角用ストッパ片４ａが作動片３の固定端３ａ側に、辺用ストッパ片４ｂが開口部１の長手方向の辺縁側に、作動片３を取り囲むように設けられている。
【００３４】
また、第２のストッパ片５は、両方の作動片３の自由端３ｂに挟まれるように、開口部１の長手方向の対向する辺縁の中央位置で橋架けされている。この横架されたストッパ片５は、２つの操作釦２、２の各端縁を受け止め得るように、長手方向の中央部を幅広に形成している。
【００３５】
これらのストッパ片４、第２のストッパ片５は、作動片３よりも少し高い位置に固定あるいは筐体１０に一体成形されている。なお、各ストッパ片４、５の高さ位置については、図１にて詳細に後述する。
【００３６】
このように開口部１の内方には、作動片３、ストッパ片４、５が固定あるいは筐体１０と一体成形されているが、平面視したときには、各部が接触することのないように空隙が形成され、特に、角用ストッパ片４ａと辺用ストッパ片４ｂとの間、および辺用ストッパ片４ｂと第２のストッパ５と間には、操作釦２の脚部２ｂを挿入するための空隙Ｓが形成される。
【００３７】
操作釦２を開口部１に取り付ける際には、操作釦２の脚部２ｂで作動片３を跨ぐように、各脚部２ｂを対応した各空隙Ｓに位置合わせして挿入する。そのとき脚部２ｂは、係止爪２ｃが内縁１ａに当たり弾性変形しながら挿入され、さらに押し込めば係止爪２ｃが開口下端に突き出て、脚部２ｂは弾性復帰し係止爪２ｃが下端に係止される。
【００３８】
このように、操作釦２を作動片３に跨乗させるように取り付け、さらに係止爪２ｃで筐体１０に係止させる構造としているため、組み付け作業は容易で、かつ押下操作によってぐらついたり外れたりすることがない。
【００３９】
ついで、押圧動作について説明する。図１（ａ）は非操作時、（ｂ）は操作（押下）時の押釦構造の縦断面図を示している。
【００４０】
操作釦２を操作しないときには、操作釦２は、突設部２ａが作動片３の上面に当接し、作動片３に支持されて、開口部１よりもわずかに突出した状態にある。その状態では、作動片２の操作棹３ｃの下端は、回路基板上に設けたタクトスイッチＳＷには接触していない（図１（ａ）参照）。
【００４１】
次に操作釦２を指で押し下げると、操作釦２の突設部２ａが作動片３を押圧し、それにより作動片３は弾性変形しながら撓んでゆき、作動片３の操作棹３ｃが矢印Ｂ方向に移動して、タクトスイッチＳＷを押し下げる。押下操作による作動片３の下方への移動は、操作釦２の端縁がストッパ片４、５に当接することによって停止する（図１（ｂ）参照）。
【００４２】
操作釦２の押下操作をやめると、作動片３の弾性復帰によって、図１（ａ）の状態に戻る。
【００４３】
このように、作動片３を撓ませてタクトスイッチＳＷを操作させているため、操作時には操作釦２は作動片３の自由端３ｂ側にわずかに傾斜する。そのため、ストッパ片４ａ、４ｂ、５の高さを同一にすれば、まず自由端３ｂ側の第２のストッパ片５が最初に操作釦２に当接され、さらに押圧力を強めてゆくと、順次ストッパ片４が作用し、操作釦２の押し下げ動作がすべてのストッパ片４、５で規制される。なお、ストッパ片４ａ、４ｂ、５への押圧力を適度に分散させるために、設置高さを異ならせてもよい。
【００４４】
この動作説明からも理解できるように、ストッパ片４、５は、タクトスイッチＳＷを確実に操作でき、かつ作動片３の撓みが最小限となる位置に設けることが望ましい。本例では操作釦２に突設部２ａを設け、それで作動片３を押し下げるようにしているため、ストッパ片４、５の高さ位置を、作動片３の高さよりも（突設部２ａの高さの範囲内で）やや高くしている。
【００４５】
換言すれば、所定の厚みの突設部２ａを設けることにより、ストッパ片４、５を作動片３の高さよりも高い位置に設けることができ、それによって作動片３、特にその固定端３ａを防護でき、作動片３の損傷を防止できる。また、操作釦２はすべてのストッパ片４、５で押し下げ動作が規制される構造であるため、操作釦２のどこを押しても、所定の押圧力で押下すれば、操作釦２はすべてのストッパ片４、５で規制され得、そのため、操作釦２のどこを押してもスイッチＳＷを操作させることができる。また、ストッパ４、第２のストッパ片５が作用するため、押下操作時の操作釦のぐらつき感はなく、無用な落ち込みもない。
【００４６】
また、本発明の押釦構造は、作動片３やストッパ片４、５を、開口部１の内方側に集約させて形成したものであるため、簡易な構造でコンパクトに押釦を形成でき、容易に成形することができ、そのため製造コストを安価に抑えることができる。また、押釦構造を形成するために、筐体１０の押釦部分以外を加工する必要がないため、押釦を設けることによって筐体１０の強度が低下する可能性も低い。
【００４７】
さらに、作動片３が片持ち支持された構造であるため、押下操作で、ストッパ片４、５で支持される位置まで作動片３を撓ませることでタクトスイッチＳＷを押し操作でき、その後、ストッパ片４、５で停止して指を離そうとすると、作動片３は弾性的に復帰しようとするため、操作者にクリック感を与えることができる。
【００４８】
また、本実施例のものでは、第２のストッパ片５を開口部１の中央に横架させているため、２つの操作釦を近接するように隣り合う位置に配置することができ、筐体の操作部をシンプルに構成することができる。本例のような洗浄ノズルの前、後操作など相反する動作用の操作釦に好適に使用できる。
【００４９】
以上の実施例では、操作釦２の突設部２ａで作動片３を押し下げるようにしているが、このような突設部２ａを設けずに、操作釦２の下面全体（腹部）を作動片３の上面に当接させて押し下げるようにしてもよい。その場合には、各ストッパ片４、５の取り付け高さを、作動片３の設置高さ位置よりも少し低くする必要があることはいうまでもない。
【００５０】
また、以上に示した押釦構造は、リモコン本体２０の他の操作釦１２、１３、１５の構造にも適用可能である。
【００５１】
以上には隣接する１対の操作釦２、２に適用させた押釦構造を示したが、独立した１つの操作釦にも概ね同様の構造が適用可能である。詳細については省略するが、その場合には、第２のストッパ片５を設ける必要はなく、ストッパ片４としては、開口部１の内周縁の適所に設ければよい。もちろん、作動片３の自由端３ｂ側に設けてもよい。
【図面の簡単な説明】
【００５２】
【図１】本発明の押釦構造の一例を示す縦断面図（図２のＡ−Ａ線）で、（ａ）非操作時、（ｂ）は操作時の動作を示している。
【図２】本発明の押釦構造を使用したトイレ用壁付けリモコンの外観斜視図。
【図３】操作釦と開口部の分解斜視図。
【図４】（ａ）は操作釦の裏面から見た斜視図、（ｂ）は押圧板バネの裏面から見た斜視図。
【符号の説明】
【００５３】
２０      トイレ用壁付けリモコン
１０      筐体
１      開口部
１Ａ、１Ｂ      （仕切られた）開口部
１ａ      内縁
２      操作釦
２ａ      突設部
２ｂ      脚部
２ｃ      係止爪
３      作動片
３ａ      固定端
３ｂ      自由端
３ｃ      操作棹
４、４ａ、４ｂ      ストッパ片
５      第２のストッパ片
ＳＷ      タクトスイッチ
【図１】
2008130531.tif 000003
【図２】
2008130531.tif 000004
【図３】
2008130531.tif 000005
【図４】
2008130531.tif 000006